(57)【要約】      （修正有）【課題】処方された医薬品について成分や規格等が同一で治療学的に同等であるとして承認された複数種類の医薬品についての情報を医師や薬剤師、さらには患者に確実に且つわかりやすく伝えることができる医薬品情報提供書を提供する。【解決手段】医薬品の情報を表形式で表示し、項目が左側に縦方向に並べられており、これらの項目に沿って後発品と先発品の医薬品の情報が左右に対比して配置されており、同等性、安全性などを比較して評価し易くする。前記医薬品情報の項目としては、たとえば製品名、製造会社名、販売会社名、成分名、規格、剤型、色、製品の性状、生物学的な同等性試験、評価、薬価、などである。更に、製品の性状について、カラー写真を用いて、ヒートシールや医薬品の色やデザインなども確認可能とすることで、薬剤師などは調剤時に、患者においては、受け取り後において実際の医薬品と比較して選択した医薬品を一目で確認することができるようにする。【選択図】図１
0003166482.tif 000002
【実用新案登録請求の範囲】
【請求項１】
処方された医薬品について成分や規格等が同一で治療学的に同等であるとして承認された複数種類の医薬品についての各種情報が各情報ごとに対比して表示されていることを特徴とする医薬品情報提供書。
【請求項２】
前記複数種類の医薬品が先発医薬品と後発医薬品であることを特徴とする請求項１記載の医薬品情報提供書。
【請求項３】
前記各種情報として生物学的同等試験の情報が含まれる請求項１または２に記載の医薬品情報提供書。
【請求項４】
前記生物学的同等試験の情報がグラフに表示されていることを特徴とする請求項１，２または３記載の医薬品情報提供書。
【請求項５】
前記生物学的同等試験の評価が表示されている請求項１，２，３または４記載の医薬品情報提供書。
【考案の詳細な説明】
【技術分野】
【０００１】
本考案は、処方する医薬品の情報を医師や薬剤師、さらには患者に提供する際に用いられる医薬品情報提供書に関するものである。
【背景技術】
【０００２】
従来、病院や薬局において処方箋に基づいて患者に医薬品が与えられているが、患者への充分且つ確実な服薬指導をきわめて簡単且つ迅速に行うことができる手段として薬局において、処方された薬剤の性状や服用方法、外観の写真、副作用などの薬剤情報を記載した薬袋や薬剤情報が知られており、たとえば実用新案登録第３０３０２６９号公報、特開２００３−１９６３９５号公報などに提示されている。
【０００３】
これらの公報に提示されている医薬品情報提供書は、医師または薬剤師が、莫大な薬剤情報の中から、個々の患者ごとに必要な情報だけを抽出して指導することができ、情報が過不足なく患者に伝えられ、わかりやすい薬剤指導を効率よく行うことができる。
【０００４】
しかしながら、前記従来の医薬品情報提供書は処方された医薬品を患者に手渡す際に薬剤師が医薬品情報を患者に説明するために、あるいは患者が渡された医薬品を服用するために用いるものであった。
【０００５】
特に医師により処方される医薬品は同一成分のものであっても他種類の医薬品が存在しており、それらの医薬品情報を患者に知らされていないことはいうまでもなく、医師や薬剤師においても把握できないのが現状であり、医師や薬剤師、さらには患者が医薬品の情報を確認して服用する医薬品を選択する手段がなかった。
【０００６】
特に、近頃、医療機関などで保険診療に用いられる医療用の医薬品として、新しい効能や効果を有し、臨床試験（治験）などにより有効性や安全性が確認されて承認された「先発医薬品」と、前記「先発医薬品」の特許権が消滅した後に、「先発医薬品」と成分や規格などが同一で、治療学的に同等であると承認された「後発医薬品（ジェネリック医薬品）」の使用が勧められており、これらの医薬品は患者自身が選択することになっている。
【０００７】
しかしながら、医師や薬剤師において、さらには患者はこれらの医薬品についての情報が簡単に得られず、選択が困難であるという問題があった。
【先行技術文献】
【特許文献】
【０００８】
【特許文献１】実用新案登録第３０３０２６９号公報
【特許文献２】特開２００３−１９６３９５号公報
【考案の概要】
【考案が解決しようとする課題】
【０００９】
本考案は、上記のような問題を解決しようとするものであり、処方された医薬品について成分や規格等が同一で治療学的に同等であるとして承認された複数種類の医薬品についての情報を医師や薬剤師、さらには患者に確実に且つわかりやすく伝えることを課題とする。
【課題を解決するための手段】
【００１０】
そこで、本考案である医薬品情報提供書は、処方された医薬品について成分や規格等が
同一で治療学的に同等であるとして承認された複数種類の医薬品についての各種情報が各情報ごとに対比して表示されていることを特徴とする。
【００１１】
また、本考案について、前記複数種類の医薬品が先発医薬品と後発医薬品である場合などに有効であり、前記各種情報として生物学的同等試験の情報が含まれる場合には患者は安心して医薬品を選択することができる。更に、前記生物学的同等試験の情報がグラフに表示されている場合には視覚的に判断しやすく、患者を含めて、医師や薬剤師も簡単かつ迅速に理解することができる。生物学的同等試験の評価が表示されている場合には更に正確な判断が可能である。
【考案の効果】
【００１２】
本考案によれば、先発医薬品と後発医薬品のように処方された医薬品について同一成分、同一規格である複数種類の医薬品が存在する場合にいずれの医薬品を選択するかを簡単且つ迅速に判断することができる。
【図面の簡単な説明】
【００１３】
【図１】本考案における実施の形態を示す表面図である。
【図２】本考案における別の実施の形態を示す表面図である。
【図３】本考案における異なる実施の形態を示す表面図である。
【図４】本考案における更に異なる実施の形態を示す表面図である。
【考案を実施するための形態】
【００１４】
以下に、図面を参照しながら本考案を実施するための形態を説明する。
【００１５】
図１は、たとえば後発品と先発品の医薬品についての本考案の実施の形態の一例を示す表面図であり、作成方法（印刷）自体は、たとえば特開２００３−１９６３９５号公報に提示されている薬剤指導作成システムのように、情報データベースに記憶させた各種情報を検索可能な制御装置によって、処方された医薬品の情報が選択されて印刷することにより容易に且つ迅速に作成（印刷）することができる。
【００１６】
そして、本実施の形態では、全体が表形式とされ、たとえば医薬品の情報に関する項目が左側に縦方向に並べられており、これらの項目に沿って後発品と先発品の医薬品の情報が左右に対比して配置されており、同等性、安全性などを比較して評価し易くしてある。
【００１７】
前記医薬品情報の項目としては、たとえば製品名、製造会社名、販売会社名、成分名、規格、剤型、色、製品の性状、生物学的な同等性試験、評価、薬価、などが提示されているが、これらに限るものでない。
【００１８】
更に、詳細に説明すると、特に、製品の性状について、カラー写真を用いていることから、ヒートシールや医薬品の色やデザインなども確認可能であり、薬剤師などは調剤時に、患者においては、受け取り後において実際の医薬品と比較して選択した医薬品を一目で確認することができる。
【００１９】
更にまた、特に医薬品を選択する際の重要な項目である生物学的な同等性試験の結果については同一の折れ線グラフに表示されている。本実施の形態は経口投与後の時間の経過に対する医薬品成分の血中濃度を比較したものであり、比較する医薬品についての生物学的な効果が一目で比較することが可能である。
【００２０】
加えて、生物学的な同等性試験の評価についても記載されているので、医師や薬剤師はいうまでもなく、患者も安心して選択することができる。
【００２１】
特に、本実施の形態では薬価についても比較して記載されているので、価格的にどちらがどれだけ安価なのかを一目で確認することができる。
【００２２】
また、本実施の形態では、前記生物学的な同等性試験の結果については同一の折れ線グラフに表示した場合を示したが、グラフは例えば図２乃至図４に示した異なる実施例に示したように折れ線に限らず曲線、棒など他の周知のグラフ表示を用いることが可能である。
【００２３】
更に、本実施の形態に示した比較項目は一例であって、これらに限るものではなく、同一成分、同一規格である複数種類の医薬品についていずれかを選択する際に比較・検討する項目であればよい。
【００２４】
殊に、本実施の形態では全体を表形式として比較項目を縦軸として比較する医薬品を前記比較項目に表的にあるいは内容的に対応して左右に表記したことから各比較項目についての比較する医薬品の性状などを一目で確認することができる
が、これは一例であって、処方された医薬品について成分や規格等が同一で治療学的に同等であるとして承認された複数種類の医薬品についての各種情報が各情報ごとに対比して表示されていればよく、手段は問わない。
【図１】
0003166482.tif 000003
【図２】
0003166482.tif 000004
【図３】
0003166482.tif 000005
【図４】
0003166482.tif 000006
【手続補正書】
【提出日】平成22年12月17日(2010.12.17)
【手続補正１】
【補正対象書類名】実用新案登録請求の範囲
【補正対象項目名】全文
【補正方法】変更
【補正の内容】
【実用新案登録請求の範囲】
【請求項１】
紙の表面上に設けた２つの領域に、先発医薬品の性質に関する情報と後発医薬品の性質に関する情報とが互いに対比可能に表示されており、且つ前記各領域に沿って設けた異なる領域に前記先発医薬品の性質と後発医薬品の性質を対比した図表が表示されていることを特徴とする医薬品情報提供書。
【請求項２】
前記各医薬品の性質として生物学的同等試験の情報が含まれることを特徴とする請求項１記載の医薬品情報提供書。
【請求項３】
前記異なる領域に表示された図表が生物学的同等試験の情報を表示したグラフであることを特徴とする請求項１または２記載の医薬品情報提供書。
【請求項４】
前記紙の表面上に設けた２つの領域または前記図表が表示されている異なる領域に沿って設けられた更に異なる領域に前記生物学的同等試験の評価が表示されている請求項１，２または３記載の医薬品情報提供書。
【手続補正２】
【補正対象書類名】図面
【補正対象項目名】図１
【補正方法】変更
【補正の内容】
【図１】
0003166482.tif 000007
【手続補正３】
【補正対象書類名】図面
【補正対象項目名】図２
【補正方法】変更
【補正の内容】
【図２】
0003166482.tif 000008
【手続補正４】
【補正対象書類名】図面
【補正対象項目名】図３
【補正方法】変更
【補正の内容】
【図３】
0003166482.tif 000009